(57)【要約】特に火力及び原子力発電所の蒸気復水器及び熱交換器に使用される、液体から固形粒子をろ過するためのフィルタであり、このフィルタは、ハウジング（４）と、このハウジング（４）内に配置されたふるいかご（２）と、蓄積かつ捕捉された廃物を排出するための廃物排出管（１）と、ふるいかごに向いて、それぞれの垂直面において、所定半径で外向きに拡がった湾曲部を有する廃物抜き取りアーム（３）とを備えており、この廃物抜き取りアーム（３）は、ふるいかごの全長にわたって回転可能に駆動されて、それにより、廃物抜き取りアーム（３）及びふるいかご（４）間に低圧を生じて、廃物を完全に抜き取って、その廃物排出管（１）に搬送することができる。
2005527371.tif 000002
【特許請求の範囲】
【請求項１】
特に火力及び原子力発電所の蒸気復水器及び熱交換器に使用される、液体から固形粒子をろ過するためのフィルタであって、
ハウジング（４）と、
前記ハウジング（４）内に配置されたふるいかご（２）と、
蓄積かつ捕捉された廃物を排出するための廃物排出管（１）と、
前記ふるいかごに向いて、それぞれの垂直面において、所定半径で外向きに拡がった湾曲部を有する廃物抜き取りアーム（３）と
を備えており、
前記廃物抜き取りアーム（３）は、前記ふるいかごの全長にわたって回転可能に駆動されて、それにより、前記廃物抜き取りアーム（３）及び前記ふるいかご（４）間に低圧を生じて、廃物を完全に抜き取って、前記廃物排出管（１）に搬送するフィルタ。
【請求項２】
前記廃物抜き取りアーム（３）は、前記ふるいかごの全長にわたって駆動するための駆動部を備えている請求項１に記載のフィルタ。
【請求項３】
前記駆動部は、ギヤードモータ駆動部（５、６）である請求項２に記載のフィルタ。
【請求項４】
前記ふるいかご（４）及び前記廃物抜き取りアーム（３）間の距離を調節するための手段を備えている請求項１〜３のいずれか一項に記載のフィルタ。
【請求項５】
前記廃物抜き取りアームの前記ふるいかごに近い端部には、前記ふるいかごとの接触を回避するために、湾曲部が設けられている請求項１に記載のフィルタ。
【請求項６】
前記ふるいかご（４）は、円錐形である請求項１に記載のフィルタ。
【請求項７】
冷水用の出口（８）及び入口（９）を含む冷却システムであって、
廃物フィルタは、
ハウジング（４）と、
前記ハウジング（４）内に配置されたふるいかご（２）と、
蓄積かつ捕捉された廃物を排出するための廃物排出管（１）と、
前記ふるいかごに向いて、それぞれの垂直面において、所定半径で外向きに拡がった湾曲部を有する廃物抜き取りアーム（３）と
を備えており、
前記廃物抜き取りアーム（３）は、前記ふるいかごの全長にわたって回転可能に駆動されて、それにより、前記廃物抜き取りアーム（３）及び前記ふるいかご（４）間に低圧を生じて、廃物を完全に抜き取って、熱移動のために、前記廃物排出管（１）、廃物出口弁（１０）、廃物出口管（１１）、および復水器（１２）に搬送する、冷却システム。
【発明の詳細な説明】
【技術分野】
【０００１】
［発明の分野］
本発明は、回転式廃物抜き取り器を備えた廃物フィルタに関する。特に本発明は、廃物抜き取り器に関する。さらに、本発明は、廃物をフィルタふるいかごから除去するシステム及び方法を提供する。
【０００２】
［発明の背景］
火力または原子力発電所において、エネルギをタービンの駆動に利用した後、蒸気を凝縮するために蒸気復水器を使用することは、当該技術分野では既知である。従来技術の蒸気復水器は、水冷式または空冷式のいずれかであろう。水冷式の場合、水は通常、海、川及び湖などの供給源から得られる。必要な水の量が非常に多く、それは草、貝、魚、布及びプラスチックシートなどの廃物を含有している。これらの廃物は、蒸気復水器の管を詰まらせ易く、熱移動を低下させて、発電に影響を与えるであろう。廃物の蓄積及び廃物の定期除去の必要という問題は、発電所に重大な問題を投げかける。この問題に打ち勝つために、復水器の入口に自動廃物フィルタを設置し、これがそのような浮遊粒子をろ過して除去する。従来型の自動廃物フィルタは、さまざまな廃物除去技法を使用しており、この分野ではさらなる改良の余地がある。１つのそのような従来型廃物フィルタでは、管状ハウジング及びふるいかごが設けられ、そのふるいかごがハウジングの内周に固定されている。廃物フィルタの一般的な構造では、廃物抜き取りアームが、ふるいかごの入口側に取り付けられて、ふるいかごに対して、その表面積全体の上を回転可能である。このフィルタを使用することによって直面する欠点は、吸引アームがふるいかごのセグメントを閉じて逆洗を生じる場所付近のシーリングリップが磨耗し、そのため、逆洗の効果が時間の経過に伴って低下することである。さらに、シールと吸引アームとの間に入った廃物が、吸引アームの円滑な回転を妨げる。また、ふるいかごの１つのセグメントが吸引アームによって完全に閉じられるので、ろ過に使用可能なふるいかご面積が減少する。
【０００３】
ふるいかご吸引アーム上に詰まり、ふるいかごのセグメントを完全に塞ぎ、ふるいかご全体を覆うように回転しうる廃物を、離脱させて除去するために、従来技術では別の方法が採用されており、ふるいかごアームの内部に回転式吸引アームを設けると共に、ふるいかごの外側にジェット水噴霧装置を備えた廃物フィルタを使用するものである。この廃物フィルタでは、廃物抜き取り器のプロファイルが、粘着性の廃物をふるいかごから容易に除去することを助けない。したがって、粘着性の廃物をふるいかごから逆流させるために、フィルタの清浄側から水の流入速度より高速で水を送る追加の水噴霧ポンプが必要である。この構造の結果として、水噴霧ポンプ用の動力消費量が追加されると共に、それがさらに高価になる。
【０００４】
本発明の目的は、従来型廃物抜き取り器の上記欠点を克服する、回転式廃物抜き取り器を備えた新規な廃物フィルタを提供することである。
【０００５】
［発明の開示］
本発明は、特に火力及び原子力発電所の蒸気復水器及び熱交換器に使用される、液体から固形粒子をろ過するためのフィルタであって、このフィルタは、ハウジングと、このハウジング内に配置されたふるいかごと、蓄積かつ捕捉された廃物を排出するための廃物排出管と、ふるいかごに向いて、それぞれの垂直面において、所定半径で外向きに拡がった湾曲部を有する廃物抜き取りアームとを備えており、この廃物抜き取りアームは、ふるいかごの全長にわたって回転可能に駆動されて、それにより、廃物抜き取りアーム及びふるいかご間に低圧を生じて、廃物を完全に抜き取って、その廃物排出管に搬送するフィルタを提供する。
【０００６】
［発明の簡単な説明］
本発明に従った、液体から固形粒子を除去するための廃物フィルタは、管状ハウジングと、このハウジングの内周に固定されたふるいかごと、蓄積かつ捕捉された廃物を排出するための廃物排出管と、最大効率が得られるように構成された独特のアームを有する廃物抜き取り器とを備えている。液体を完全にろ過できるように、この廃物抜き取りアームは低速で回転する。
【０００７】
廃物抜き取りアームのプロファイルが、アーム全体に吸引効果を与える。すなわち、アームの全長で吸引力が発生する。廃物抜き取りアームは、ふるいかごに向いた湾曲部が、垂直面に対して所定半径で外向きに拡がった特別設計のプロファイルを有する。このプロファイルにより、ふるいかご及び抜き取り器間に、ふるいかご内の他のいずれの場所の圧力と比較してより低い圧力が生じる。この特徴により、ふるいかご上の廃物がふるいかごから持ち上げられて、抜き取り器を通って出口へ送られる。本発明の廃物抜き取り器の変更構造は、従来技術で知られる廃物フィルタの制約を克服し、結果的に廃物フィルタの効率を高め、性能を向上させる。
【０００８】
本発明の別の目的は、効果的な廃物除去をもたらす独特の抜き取り手段を備えた廃物フィルタを提供することである。
【０００９】
本発明のさらに別の目的は、廃物抜き取りアームの円滑な回転を妨害しない廃物抜き取り器を備えた廃物フィルタを提供することである。
【００１０】
本発明のさらなる目的は、効率的かつ経済的であると共に、ふるいかごの内側を清掃するために水ジェット噴霧装置を必要としない廃物抜き取り器を備えた頑強な廃物フィルタを提供することである。
【００１１】
本発明のさらなる特徴及び他の目的及び利点は、添付図面を参照した以下の詳細な説明から明らかになるであろう。
【００１２】
［詳細な説明］
本発明に従った廃物フィルタは、廃物を捕捉するふるいかご（２）と、蓄積かつ捕捉された廃物を排出する廃物排出管（１）と、廃物をふるいかご（２）から取り除く廃物抜き取りアーム（３）とを備え、これらはすべて、管状ハウジング（４）内に収容されている。そして、廃物抜き取りアーム（３）は、好ましくはギヤードモータ駆動部（６）を使用して低速回転される。最低速度で高トルクを可能にするために、特別なギヤトレーンをギヤボックスハウジング（５）内に組み込んでもよい。ギヤボックスハウジング（５）及びギヤボックスシーリング支持体（７）は、ハウジング（４）内に収容されており、廃物抜き取りアーム（３）は、モータ駆動部（６）によって回転される。
【００１３】
廃物抜き取りアーム（３）は、ふるいかごに接触しないが、同時に、ふるいかご（２）から廃物を効果的に抜き取る。また、それは、従来技術において既知の廃物分離器における問題を排除し、一般化している特別な水噴霧ポンプを使用していない。これは、ふるいかごに向いた湾曲部が、それぞれの垂直面において、所定半径で外向きに拡がっている、廃物抜き取りアームの独特のプロファイルによって達成され、このプロファイルにより、廃物抜き取りアーム及びふるいかご間に、管状ハウジング（４）の内部の他のいずれの場所の圧力と比較してより低い圧力が生じる。この低圧の結果として、廃物が効果的に抜き取られ、次に廃物排出管へ搬送される。ふるいかご（２）及び廃物抜き取りアーム（３）間のこの距離は、廃物の大きさに適するように変化させて、廃物の除去をより効果的に行うことができ、また、遭遇した廃物が廃物抜き取りアーム（３）の回転を妨害しないことを確実にすることができる。
【００１４】
廃物フィルタは、あらゆる種類の粗雑な物質を液体から自動的に除去する。廃物フィルタは通常、熱移動装置の上流側にできる限り接近させて設置される。実質的にろ過は、円錐形ふるいかごによって行われる。冷却水状態が、孔の大きさ及び種類を決定する。好ましくは、孔の大きさは、０．５ｍｍ〜１０ｍｍの範囲にすることができる。
【００１５】
廃物抜き取りアームは、ふるいかごの内側に配置されて、離脱状態の廃物を集める。この廃物抜き取りアームは、円錐形ふるいかごの全長にわたって回転して、低速モータによって駆動される。廃物抜き取りアーム全体で集められた廃物は、廃物排出管を通って、低比率の冷却水と共に冷却水出口へ移動させられる。廃物フィルタからの廃物のフラッシングは、設定時間後か、または圧力低下が設定値を超えた時のいずれかに、自動的に実施される。フラッシングサイクルは通常、３分を超えることはなく、現場状態に適するように調節される。廃物フィルタは、毎秒４メートルまでの流入速度で機能し、水頭損失が低い。本発明に従った廃物フィルタは、特に現場で利用可能な空間及び圧力損失基準に合った顧客の要件に適するように製造することができる。
【００１６】
本発明には、さまざまな用途がある。本装置の特殊な用途は、省エネルギシステムとしてのものである。省エネルギシステムの目的は、発電所及び処理プラントで使用される復水器及び熱交換機における熱移動の改善に独特の影響を有する。省エネルギシステム内に廃物フィルタを設置する場合が、図５に示されている。このプラントは、冷水用の出口（８）及び入口（９）と、廃物出口弁（１０）と、廃物出口管（１１）と、復水器（１２）とを有する。そのようなプラントでは、廃物の除去がまったく容易であり、その結果、プラントの効率が向上する。
【００１７】
本説明の目的は、本発明の顕著な特徴を説明することであることに留意されたい。さらに、本発明の範囲内において、さまざまな修正または変更が可能であることにも、留意されたい。本発明の実施形態の場合、本発明の範囲は添付の特許請求の範囲で定義される。
【図面の簡単な説明】
【００１８】
【図１】本発明に係る回転式廃物抜き取り器を備えた廃物フィルタの長手方向断面図である。
【図２】本発明に係る廃物フィルタの断面図である。
【図３】図２のＡで示された部分の詳細図である。
【図４】廃物アーム抜き取り器を示す図である。
【図５】図４に示された廃物アーム抜き取り器のＡ−Ａ線に沿った断面図である。
【図６】図５に示されたＢの詳細図である。
【図７】本発明に係る廃物フィルタを組み込んだ冷却システムを示す図である。
【図１】
2005527371.tif 000003
【図２】
2005527371.tif 000004
【図３】
2005527371.tif 000005
【図４】
2005527371.tif 000006
【図５】
2005527371.tif 000007
【図６】
2005527371.tif 000008
【図７】
2005527371.tif 000009
【国際調査報告】
2005527371.tif 000010
2005527371.tif 000011